(57)【要約】【課題】車椅子利用者に負担をかけるとなく、健常者の車椅子用かご操作盤による行先階呼び登録の発生を抑制した車椅子兼用エレベータの制御装置を提供する。【解決手段】乗場に設けられた乗場釦及び車椅子用乗場釦、かご設けられたかご操作釦及び車椅子用かご操作盤が制御盤に接続された車椅子兼用エレベータの制御装置であって、通常、前記車椅子用かご操作盤による行先階呼び登録を無効とし、かごが前記車椅子用乗場釦による乗場呼び登録に応答して停止した時のみ、前記車椅子用かご操作盤による行先階呼び登録を有効とする。また、かごが前記車椅子用乗場釦による乗場呼び登録に応答して停止した時及び停止階に前記車椅子用かご操作盤による行先階呼び登録がすでにある時の少なくともいずれかの状態にある時のみ、前記車椅子用かご操作盤による行先階呼び登録を有効とする。【選択図】図３
2008174334.tif 000002
【特許請求の範囲】
【請求項１】
乗場に設けられた乗場釦及び車椅子用乗場釦、かご設けられたかご操作釦及び車椅子用かご操作盤が制御盤に接続された車椅子兼用エレベータの制御装置であって、通常、前記車椅子用かご操作盤による行先階呼び登録を無効とし、かごが前記車椅子用乗場釦による乗場呼び登録に応答して停止した時のみ、前記車椅子用かご操作盤による行先階呼び登録を有効とすることを特徴とする車椅子兼用エレベータの制御装置。
【請求項２】
乗場に設けられた乗場釦及び車椅子用乗場釦、かご設けられたかご操作釦及び車椅子用かご操作盤が制御盤に接続された車椅子兼用エレベータの制御装置であって、通常、前記車椅子用かご操作盤による行先階呼び登録を無効とし、かごが前記車椅子用乗場釦による乗場呼び登録に応答して停止した時及び停止階に前記車椅子用かご操作盤による行先階呼び登録がすでにある時の少なくともいずれかの状態にある時のみ、前記車椅子用かご操作盤による行先階呼び登録を有効とすることを特徴とする車椅子兼用エレベータの制御装置。
【請求項３】
調整可能なタイマ手段を更に備え、車椅子用かご操作盤による行先階呼び登録は所定時間内のみ有効になることを特徴とする請求項１又は２に記載の車椅子兼用エレベータの制御装置。
【請求項４】
案内報知装置を更に備え、車椅子用かご操作盤による行先階呼び登録が無効のとき、車椅子用かご操作盤の行先階釦が押されると、前記案内報知装置で無効案内を報知させることを特徴とする請求項１から３までのいずれか１項に記載の車椅子兼用エレベータの制御装置。
【発明の詳細な説明】
【技術分野】
【０００１】
この発明は、車椅子兼用エレベータの制御装置、特に健常者が車椅子用かご操作盤で行先階呼び登録したことによる不要な扉開時間の延長による輸送効率の低下をなくしたものに関する。
【背景技術】
【０００２】
車椅子兼用エレベータの制御装置において、健常者が車椅子用かご操作盤で行先階呼び登録した場合、不要な扉開時間の延長が生じて輸送効率が低下するが、従来、これに対する対策がとられていない場合が殆どである。車椅子用かご操作盤の操作での健常者による行先階呼び登録を抑制する技術としては、車椅子用かご操作盤に特殊な釦を設けて特殊な登録方法を用いる技術があった(例えば下記特許文献１参照)。
【０００３】
【特許文献１】特開平６−３０５６４６号公報
【発明の開示】
【発明が解決しようとする課題】
【０００４】
しかしながら、上記のような方法では操作盤の操作方法が一般のものと異なるため、車椅子利用者に負担をかけるという課題があった。
【０００５】
この発明は、車椅子利用者に負担をかけるとなく、輸送効率の低下につながる健常者の車椅子用かご操作盤による行先階呼び登録の発生を抑制した車椅子兼用エレベータの制御装置を提供することを目的とする。
【課題を解決するための手段】
【０００６】
この発明は、乗場に設けられた乗場釦及び車椅子用乗場釦、かご設けられたかご操作釦及び車椅子用かご操作盤が制御盤に接続された車椅子兼用エレベータの制御装置であって、通常、前記車椅子用かご操作盤による行先階呼び登録を無効とし、かごが前記車椅子用乗場釦による乗場呼び登録に応答して停止した時のみ、前記車椅子用かご操作盤による行先階呼び登録を有効とすることを特徴とする車椅子兼用エレベータの制御装置にある。
【０００７】
また、乗場に設けられた乗場釦及び車椅子用乗場釦、かご設けられたかご操作釦及び車椅子用かご操作盤が制御盤に接続された車椅子兼用エレベータの制御装置であって、通常、前記車椅子用かご操作盤による行先階呼び登録を無効とし、かごが前記車椅子用乗場釦による乗場呼び登録に応答して停止した時及び停止階に前記車椅子用かご操作盤による行先階呼び登録がすでにある時の少なくともいずれかの状態にある時のみ、前記車椅子用かご操作盤による行先階呼び登録を有効とすることを特徴とする車椅子兼用エレベータの制御装置にある。
【発明の効果】
【０００８】
この発明では、車椅子利用者に負担をかけるとなく、健常者の車椅子用かご操作盤による行先階呼び登録の発生を抑制した車椅子兼用エレベータの制御装置を提供することができる。
【発明を実施するための最良の形態】
【０００９】
実施の形態１．
図１はこの発明による車椅子兼用エレベータの制御装置の構成の一例を示す図である。制御装置は制御盤１と、制御盤１により制御される巻上げ機２と、巻上げ機２で昇降されるかご３と、かご３に設けられた扉４、案内報知(アナウンス)装置５、かご上制御装置６、かご操作盤７、車椅子用かご操作盤８と、制御盤１とかご上制御装置６を繋ぐかご伝送ケーブル９(図１においてかご伝送ケーブル９の先がかご上制御装置６に接続されている)、制御盤１と乗場釦１１−１〜１１−４及び車椅子用乗場釦１２−１〜１２−４を繋ぐかご乗場伝送ケーブル１０を備える。
【００１０】
また、案内報知装置５、かご操作盤７、車椅子用かご操作盤８はかご上制御装置６を介して制御盤１に接続されている。そして制御盤１は、かご操作盤７及び車椅子用かご操作盤８からの行先階呼び登録や、乗場釦１１−１〜１１−４及び車椅子用乗場釦１２−１〜１２−４からの乗場呼び登録に従って、巻上げ機２を制御してかご３の昇降制御、かご３の扉４の開閉制御も行い、さらに受け付けた登録に対しては対応する乗場釦１１−１〜１１−４、車椅子用乗場釦１２−１〜１２−４、さらに、かご操作盤７や車椅子用かご操作盤８の行先階釦(例えば図２の２０)に内蔵された応答灯(図示省略)を点灯させる。
【００１１】
図２には図１の車椅子用かご操作盤８の一例を示す。車椅子用かご操作盤８は行先階釦２０、扉開釦２１及び扉閉釦２２等を備えている。
【００１２】
図３にはこの実施の形態による車椅子兼用エレベータの制御装置の動作フローチャートを示し、以下これに従って動作を説明する。なおこの動作は一般には、コンピュータ(図示省略)を含む制御盤１の制御動作となる。
【００１３】
通常の運転状態では、車椅子用かご操作盤８の行先階釦２０の操作による行先階呼び登録は無効にされており(ステップＳ１)、車椅子用乗場釦１２−１〜１２−４のいずれかによる乗場呼び登録があり、これに応答してかご３が該乗場呼び登録があった階に停止した場合には(ステップＳ２)、車椅子用かご操作盤８の行先階釦２０の操作による行先階呼び登録を有効にする(ステップＳ３)。
【００１４】
そして、車椅子用かご操作盤８の行先階釦２０の操作による行先階呼び登録があり、これに応答してかご３が行先階呼び登録に従った階に停止し、該登録に対する応答が完了すると(ステップＳ４)、再び車椅子用かご操作盤８の行先階釦２０の操作による行先階呼び登録が無効にされる(ステップＳ５)。
【００１５】
このように、車椅子用乗場釦による乗場呼び登録に応答して該階にかごが停止した時のみ、車椅子用かご操作盤の行先階釦の操作による行先階呼び登録を有効にすることで、車椅子利用者に負担をかけることなく、健常者の車椅子用かご操作盤による行先階呼び登録の発生を抑制することができる。
【００１６】
実施の形態２．
図４にはこの発明の別の実施の形態による車椅子兼用エレベータの制御装置の動作フローチャートを示す。車椅子兼用エレベータの制御装置の構成については図１に示すものと基本的に同じである。
【００１７】
図４の動作フローチャートに従ってこの実施の形態の動作について説明すると、通常の運転状態では、車椅子用かご操作盤８の行先階釦２０の操作による行先階呼び登録は無効にされている(ステップＳ１)。そして車椅子用乗場釦１２−１〜１２−４の操作による乗場呼び登録に応答して該階に停止したか、該階へのすでに登録済みの車椅子用かご操作盤８の行先階釦２０の操作による行先階呼び登録があるか(すなわちすでに車椅子利用者がかご３に乗っていて該階を行先階呼び登録している状態)、の少なくとも一方の条件が成立すれば(ステップＳ２)、車椅子用かご操作盤８の行先階釦２０の操作による行先階呼び登録を有効にする(ステップＳ３)。これによりすでにかご３に乗っている車椅子利用者の車椅子用かご操作盤８の行先階釦２０の操作による再行先階呼び登録(行先階の変更)も可能になる。
【００１８】
そして例えば制御盤１のコンピュータに内蔵されるタイマ手段(図示省略)により、車椅子用かご操作盤８の行先階釦２０の操作による行先階呼び登録が有効になった後の時間が計られ、所定時間が経過すると(ステップＳ４)、再び車椅子用かご操作盤８の行先階釦２０の操作による行先階呼び登録が無効にされる(ステップＳ８)。
【００１９】
行先階呼び登録が有効になった後の所定時間内に車椅子用かご操作盤８の行先階釦２０が操作すなわち押された場合には(ステップＳ５)、車椅子用かご操作盤８の行先階釦２０の操作による行先階呼び登録が行われると共に、該行先階釦２０の応答灯を点灯させる(ステップＳ６)。
【００２０】
そして、行先階呼び登録があり、これに応答してかご３が行先階呼び登録に従った階に停止し、車椅子用かご操作盤８の行先階釦２０の操作による行先階呼び登録に対する応答が完了すると(ステップＳ７)、再び車椅子用かご操作盤８の行先階釦２０の操作による行先階呼び登録が無効にされる(ステップＳ８)。
【００２１】
またステップＳ２において、上述の条件がいずれも成立しなければ、車椅子用かご操作盤８の行先階釦２０の操作による行先階呼び登録は無効のままで、この状態で車椅子用かご操作盤８の行先階釦２０が操作すなわち押された場合には(ステップＳ９)、案内報知(アナウンス)装置５により車椅子用かご操作盤８の行先階釦２０の該操作による行先階呼び登録は無効である旨の案内が報知させる(ステップＳ１０)。
【００２２】
なお図３のステップＳ４〜Ｓ５及び図４のステップＳ７〜Ｓ８においては、行先階呼び登録に対する応答が完了した時以外にも、対応する行先階呼び登録がキャンセル(該釦の二度押し等の予め定められた特定操作による)された場合にも、同様に車椅子用かご操作盤８の行先階釦２０の操作による行先階呼び登録が再び無効にされるようにしてもよい。
【図面の簡単な説明】
【００２３】
【図１】この発明による車椅子兼用エレベータの制御装置の構成の一例を示す図である。
【図２】図１の車椅子用かご操作盤の一例を示す拡大図である。
【図３】この発明の実施の形態１による車椅子兼用エレベータの制御装置の動作フローチャートである。
【図４】この発明の実施の形態２による車椅子兼用エレベータの制御装置の動作フローチャートである。
【符号の説明】
【００２４】
１  制御盤、２  巻上げ機、３  かご、４  扉、５  案内報知装置、６  かご上制御装置、７  かご操作盤、８  車椅子用かご操作盤、９  伝送ケーブル、１０  かご乗場伝送ケーブル、１１−１〜１１−４  乗場釦、１２−１〜１２−４  車椅子用乗場釦、２０  行先釦、２１  扉開釦、２２  扉閉釦。
【図１】
2008174334.tif 000003
【図２】
2008174334.tif 000004
【図３】
2008174334.tif 000005
【図４】
2008174334.tif 000006